(57)【要約】【課題】ディスク再生装置において、ジョグダイヤルを用いてオーディオデータの特殊再生をする場合、ジョグダイヤルの静電気の帯電を防止する。【解決手段】ディスク再生装置において、ディスクからオーディオデータを再生する再生部と、再生したオーディオデータを記憶する記憶部と、記憶したオーディオデータの読み出し速度及び順序を指示する読出指示部を備え、読出指示部は、記憶部の読み出し速度及び順序を指示する操作円盤部と、操作円盤部を載置する円盤部と、円盤部を回転駆動する駆動部と、操作円盤部の回転速度及び方向を検出する第１検出部と、円盤部の回転速度を検出する第２検出部と、第１検出部が検出した操作円盤部の回転速度及び方向に従って記憶部の読み出し速度及び順序を制御し、第２検出部が検出した円盤部の回転速度を一定に制御する制御部を備え、操作円盤部と円盤部との間に導電性シートを配設した。【選択図】  図２
2004281003.tif 000002
【特許請求の範囲】
【請求項１】
ディスクに記録されたオーディオデータを再生する再生部と、前記再生部が再生したオーディオデータを記憶する記憶部と、前記記憶部に記憶したオーディオデータの読み出し速度及び読み出し順序を指示する読出指示部とを備えたディスク再生装置において、前記読出指示部は、前記記憶部に記憶したオーディオデータの読み出し速度及び読み出し順序を指示する操作円盤部と、前記操作円盤部を載置する円盤部と、前記円盤部を回転駆動する駆動部と、前記操作円盤部の回転速度及び回転方向を検出する第１検出部と、前記円盤部の回転速度を検出する第２検出部と、前記第１検出部により検出された前記操作円盤部の回転速度及び回転方向に従って前記記憶部に記憶したオーディオデータの読み出し速度及び読み出し順序を制御するとともに、前記第２検出部により検出された前記円盤部の回転速度が一定になるように前記駆動部を制御する制御部とを備え、前記操作円盤部と前記円盤部との間に導電性シートを配設したことを特徴とするディスク再生装置。
【発明の詳細な説明】
【０００１】
【発明の属する技術分野】
本発明は、ディスクから再生したオーディオデータをメモリに記憶し、メモリに記憶したオーディオデータの読み出し速度及び読み出し順序を、操作円盤部の操作によって変化させることができるディスク再生装置に関する。
【０００２】
【従来の技術】
ディスクジョッキー（Ｄｉｓｃ  Ｊｏｃｋｅｙ（以下、「ＤＪ」という。））と呼ばれるオーディオ再生装置を操作してオーディオデータを再生する操作者は、アナログレコードまたはコンパクトディスク（Ｃｏｍｐａｃｔ  Ｄｉｓｃ（以下、「ＣＤ」という。））等のディスクに記録されたオーディオデータを再生している最中に、擦れ音のような効果音を発生させるスクラッチ再生と呼ばれる特殊再生を行うことがある。ＤＪは、アナログレコードプレーヤを用いてスクラッチ再生を行う場合、アナログレコードを素早く正方向又は逆方向に回すことにより擦れ音を発生させる。
【０００３】
また、このアナログレコードプレーヤを用いたスクラッチ再生と同様の特殊再生を行う機能を備えたＤＪ用のＣＤプレーヤがある。このＣＤプレーヤは、ジョグダイヤルとメモリを備えていて、ＣＤから再生したオーディオデータをメモリに記憶し、ジョグダイヤルを正方向又は逆方向に回すことにより、メモリに記憶されたオーディオデータの読み出し速度と読み出し順序を制御し、アナログレコードによる擦れ音と同等の効果音を発生させる。このように、ＤＪは、ＣＤに記録されたオーディオデータを再生しているとき、ジョグダイヤルをアナログレコードと同じように回転操作することにより、アナログレコードプレーヤと同様のスクラッチ再生等の特殊再生を行うことができる（特許文献１参照）。
【０００４】
ＤＪ用のＣＤプレーヤにおいて、ジョグダイヤルが操作されない場合、ＣＤに記録されたオーディオデータを標準速度で再生（以下、「通常再生」という。）する。ジョグダイヤルが回転操作された場合、ＣＤプレーヤは、ジョグダイヤルの回転速度及び回転方向を検出し、検出した回転速度及び回転方向に応じて、ＣＤから再生しメモリに記憶したオーディオデータの読み出し速度及び読み出し順序を変える特殊再生を行う。
【０００５】
上記ジョグダイヤルを、モータ等によって回転駆動される円盤部に操作円盤部を載置する構成とした光ディスク再生装置の発明を、本出願人は特許出願した（特願２００２−１５３５１４、平成１４年５月２８日出願）。この光ディスク再生装置において、操作円盤部は、円盤部に載置され、円盤部と同じ予め定められた速度で回転しているとき、光ディスク再生装置は通常再生をする。操作円盤部が回転操作された場合、光ディスク再生装置は、操作円盤部の回転方向及び回転速度を検出して、メモリに記憶されたオーディオデータの読み出し順序及び読み出し速度を制御することによって、スクラッチ再生等の特殊再生をする。
【０００６】
【特許文献１】
特開平６−８９５０１号公報
【０００７】
【発明が解決しようとする課題】
回転駆動される円盤部に操作円盤部を載置する構成のジョグダイヤルを備えたディスク再生装置において、ＤＪが操作円盤部を回転操作する場合、操作円盤部と円盤部とが互いに擦れ合うことによって静電気が発生し、操作円盤部及び円盤部に帯電することがあった。特にスクラッチ再生を行う場合、ＤＪは、操作円盤部を正方向又は逆方向に素早く回転させる操作をするので、静電気が発生し帯電しやすい。
アナログレコードプレーヤを使用して、スクラッチ再生等の操作を行う場合であっても、静電気が発生し、アナログレコードやターンテーブルに帯電する。しかし、アナログレコードは、ＤＪが演奏する曲を変える度に交換されるため、その度に静電気が放電されるので、静電気の発生帯電による操作性への影響は少なかった。
【０００８】
一方、上述した、ジョグダイヤルが円盤部と操作円盤部を備えるディスク再生装置においては、演奏する曲を変える度にＤＪが操作円盤部を取り外すことはないため、操作円盤部及び円盤部に帯電した静電気は放電されず、静電気の発生に伴って帯電量が増加する。静電気の帯電によって、操作円盤部と円盤部とが吸着する力が増加するため、操作円盤部を回転操作したとき、円盤部の回転が停止したり、滑らかに回転操作することができなくなったりすることがあった。
円盤部の回転が停止されることにより、円盤部を回転駆動するモータ、回転駆動力を伝達するベルト等に負荷がかかり、部品の寿命を短くすることもあった。
【０００９】
本発明の目的は、ディスク再生装置において、ＣＤ等のディスクの特殊再生をアナログレコードプレーヤの特殊再生を行う場合と同様の操作により行う場合、ＤＪのスクラッチ操作によって発生する静電気の帯電に伴う、操作円盤部と円盤部との吸着力の増加を防止し、操作性の良いディスク再生装置を提供することにある。
【００１０】
【課題を解決するための手段】
本発明の請求項１に記載のディスク再生装置は、ディスクに記録されたオーディオデータを再生する再生部と、前記再生部が再生したオーディオデータを記憶する記憶部と、前記記憶部に記憶したオーディオデータの読み出し速度及び読み出し順序を指示する読出指示部とを備えたディスク再生装置において、前記読出指示部は、前記記憶部に記憶したオーディオデータの読み出し速度及び読み出し順序を指示する操作円盤部と、前記操作円盤部を載置する円盤部と、前記円盤部を回転駆動する駆動部と、前記操作円盤部の回転速度及び回転方向を検出する第１検出部と、前記円盤部の回転速度を検出する第２検出部と、前記第１検出部により検出された前記操作円盤部の回転速度及び回転方向に従って前記記憶部に記憶したオーディオデータの読み出し速度及び読み出し順序を制御するとともに、前記第２検出部により検出された前記円盤部の回転速度が一定になるように前記駆動部を制御する制御部とを備え、前記操作円盤部と前記円盤部との間に導電性シートを配設したものである。
【００１１】
【発明の実施の形態】
図１は、本発明のディスク再生装置の一実施例であるＣＤプレーヤの構成を示すブロック図である。
ターンテーブル１は、スピンドルモータ２の回転軸に固定され、ＣＤ３を保持する。サーボ制御部４は、スピンドルモータ２の回転駆動の線速度を制御する。また、サーボ制御部４は、光ピックアップ５のレーザ光をＣＤのピット列に正しくトレースさせるために、光ピックアップ５のフォーカス制御とトラッキング制御を行う。
【００１２】
光ピックアップ５はＣＤからデジタルオーディオデータを再生し、再生アンプ６に入力する。再生アンプ６は、デジタルオーディオデータを波形整形及び増幅し、信号処理部７に入力する。信号処理部７は、デジタルオーディオデータの復調、フォーカスエラー信号やトラッキングエラー信号等のエラー信号、同期信号の抜き出しをして、メモリ制御部８に入力する。
【００１３】
メモリ制御部８は、入力されたデジタルオーディオデータをランダムアクセスメモリ（Ｒａｎｄｏｍ  Ａｃｃｅｓｓ  Ｍｅｍｏｒｙ（以下、「ＲＡＭ」という。））９に書き込む制御を行い、ＲＡＭ９は、デジタルオーディオデータを記憶する。ＲＡＭ９が記憶したデジタルオーディオデータは、メモリ制御部８の制御により読み出され、デジタルアナログ変換器（Ｄｉｇｉｔａｌ  ｔｏ  Ａｎａｌｏｇ  Ｃｏｎｖｅｒｔｅｒ（以下、「ＤＡＣ」という。））１０に入力される。ＤＡＣ１０は、デジタルオーディオデータをアナログオーディオ信号に変換しアンプ１１に入力する。アンプ１１は、アナログオーディオ信号を増幅し出力端子１２に接続したスピーカ等に出力する。
【００１４】
制御部１３は、サーボ制御部４、信号処理部７、メモリ制御部８を制御する。表示部１４は、制御部１３に接続され、現在再生しているトラックの再生時間、トラックナンバー等を表示する。操作部１５は、制御部１３に接続され、読出指示部としての操作円盤部２０、再生開始ボタン、再生停止ボタン、イジェクトボタン等を備える。操作円盤部２０の回転速度及び回転方向に応じて、ＣＤから再生されＲＡＭ９に記憶されたデジタルオーディオデータの読み出し速度及び読み出し順序を変えることができる。操作円盤部２０は、直径１０ｃｍ〜３０ｃｍのアナログレコードと同等の大きさであり、ディスク再生装置の上面に取り付けられている。
【００１５】
図２は、図１に示したＣＤプレーヤの操作円盤部２０を含む機構全体を側面から見た断面構成を示す図である。操作円盤部２０は、図１に示すＣＤプレーヤの上面のパネル２１に備えられる。パネル２１には、シャフト２９を通すための軸受が一体成形されている。モータ２２は、パネル２１の下面に固定される。モータ２２の回転軸に、プーリ２３が固定される。円盤部２４及び操作円盤部２０の回転軸であるシャフト２９は、パネル２１の軸受部に挿入される。
【００１６】
円盤部２４は、パネル２１の軸受を通すための軸受が一体成形され、パネル２１の軸受に挿入されて、保持部２５によって保持される。円盤部２４は、下面にプーリ部２４ａを備える。プーリ２３とプーリ部２４ａとにベルト２６が掛けられていて、モータ２２によってプーリ２３が回転すると、ベルト２６を介してプーリ２３からプーリ部２４ａに回転駆動力が伝達されて、円盤部２４が回転する。
【００１７】
円盤部２４は、下面にスケール保持部２４ｂを備える。スケール保持部２４ｂに、スケール円盤部３４が固定される。スケール円盤部３４は、等間隔に長方形状の開口部を設けたリング状の板である。光センサ部３５は、円盤部２４の回転速度を検出するための光センサを備え、スケール円盤部３４の開口部を検出できるようにパネル２１に取り付けられる。
【００１８】
導電性シート２７は、金属、カーボン等の材料からなり、円盤部２４の上に載置される。シート２８は、摩擦係数が小さいプラスチック、プラスチック繊維等の材料からなり、例えば、ポリエステル、レーヨン等の材質が用いられ、導電性シート２７の上面に載置される。ここで、シート２８は、例えば、回転している円盤部２４の回転速度に、停止している操作円盤部２４が０．１〜０．２秒後に追従して回転できる程度の摩擦係数を有する部材を採用する。
【００１９】
操作円盤部２０は、シャフト２９に挿入され、シート２８の上面に載置される。操作円盤部２０は、モータ２２から伝わる駆動トルクに追従できるように面積を大きくし、材質、厚みを調整することによって、載置されているシート２８が小さい摩擦係数であっても、操作円盤部２０から手が離れると、予め定められた速度で回転を再開するように、自重と慣性モーメントとを小さくしておく。
ＤＪが操作する場合、アナログレコードプレーヤの操作と同様の摩擦感を得ることが好ましく、そのため、操作円盤部２０はアナログレコードと同じ材質である塩化ビニルを用い、円盤部２４はアナログレコードプレーヤのターンテーブルに多く用いられている材質であるアルミニウムを用いる。
【００２０】
円盤部２４が回転しているとき、操作円盤部２０と導電性シート２７との間に挟まれているシート２８は、摩擦係数が小さい材質を用いるが、操作円盤部２０の重さによって摩擦力が発生するので、円盤部２４が回転すると、導電性シート２７、シート２８、操作円盤部２０もともに回転する。
ＤＪがスクラッチ操作等の特殊再生操作を行うために、回転している操作円盤部２０に手を触れると、操作円盤部２０にその回転を止める力が働く。このとき、シート２８は摩擦係数が小さいので、操作円盤部２０は円盤部２４の回転に追従せず、操作円盤部２０のみ回転を減速または停止する。
【００２１】
固定保持部３０は、操作円盤部２０の上面でシャフト２９に固定され、操作円盤部２０の上面に設けられた突起部２０ａ、２０ｂを固定保持部３０の孔に挿入して、操作円盤部２０を保持する。
スケール保持部３１は、シャフト２９に挿入され固定される。スケール保持部３１に、スケール円盤部３２が固定される。スケール円盤部３２は、等間隔に長方形状の開口部を設けたリング状の板である。光センサ部３３は、操作円盤部２０の回転速度及び回転方向を検出するために２個の光センサを備え、スケール円盤部３２の開口部を検出できるようにパネル２１に取り付けられる。
【００２２】
光センサ部３３は、スケール円盤部３２の開口部を検出することによって、操作円盤部２０の回転速度及び回転方向に応じたパルス信号を発生し、制御部１３に入力する。光センサ部３５は、スケール円盤部３４の開口部を検出することによって、円盤部２４の回転速度に応じたパルス信号を発生し制御部１３に入力する。
【００２３】
制御部１３は、光センサ部３３から入力されるパルス信号に応じて、ＲＡＭ９に記憶されたデジタルオーディオデータの読み出し速度及び読み出し方向を判別し、メモリ制御部８を制御する。制御部１３は、光センサ部３５から入力されるパルス信号によって、円盤部２４の回転速度を予め定められた速度に保つようにモータ２２を制御する。
【００２４】
本実施例のＣＤプレーヤは、上記の予め定められた速度を設定する場合、例えば、アナログレコードプレーヤの再生時におけるターンテーブルの速度に設定し、回転方向をアナログレコードプレーヤのターンテーブルの回転方向に設定する。
ここで、スケール円盤保持部３１、円盤部２４、導電性シート２７、シート２８、操作円盤部２０は、ＣＤに記録されたオーディオデータを再生する場合、操作円盤部２０がアナログレコードを再生する場合のターンテーブルと類似の動きをすることとなる。
【００２５】
なお、通常のＤＪの操作では、例えば、操作者が操作円盤部２０に手を載せる等の操作をした場合、円盤部２４は、シート２８の摩擦係数が小さいため、操作円盤部２０の動作に影響されることなく、予め定められた速度で回転し続ける。しかし、操作者の手を載せる等の操作によって操作円盤部２０に与えられる力が大きくなると、それに伴い摩擦も大きくなり、円盤部２４が操作円盤部２０の動作の影響を受けるようになる。このような場合にも、制御部１３の制御により、円盤部２４の回転速度は一定に保たれる。
【００２６】
光センサ部による回転状態の検出方法について説明する。図３は、スケール円盤部３２の開口部３２ａと、光センサ部３３に備える２個の光センサ３３ａ、３３ｂの配置を示す図である。図４は、スケール円盤部３２の開口部３２ａによる光センサ部３３の出力パルス信号を示す図である。
光センサ部３３に備える光センサ３３ａ、光センサ３３ｂは、開口部３２ａを検出したときＯＦＦを示すパルス信号を出力し、スケール円盤部３２で閉ざされたときＯＮを示すパルス信号を出力する。
【００２７】
光センサ３３ａ、光センサ３３ｂは、それぞれ出力されるパルス信号の組み合わせによって、下記の４とおりのパターンが発生するように配置される。
パターン１は、光センサ３３ａ、光センサ３３ｂが、どちらもＯＮを示すパルス信号を出力する場合である。パターン２は、光センサ３３ａはＯＮを示すパルス信号を出力し、光センサ３３ｂはＯＦＦを示すパルス信号を出力する場合である。パターン３は、光センサ３３ａはＯＦＦを示すパルス信号を出力し、光センサ３３ｂはＯＮを示すパルス信号を出力する場合である。パターン４は、光センサ３３ａ、光センサ３３ｂがどちらもＯＦＦを示すパルス信号を出力する場合である。
【００２８】
回転速度は、制御部１３によって、所定の時間内に出力されるパルス数に従って算出される。回転方向は、制御部１３によって、スケール円盤部３２の回転方向に伴って変化する光センサ３３ａ、光センサ３３ｂからのパルス信号の出力パターンの発生順によって判断する。具体的には、スケール円盤部３２が、図３の矢印Ａに示す方向に回転する場合、光センサ３３ａは図４（ａ）に示すように出力し、光センサ３３ｂは図４（ｂ）に示すように出力して、パターン４→パターン２→パターン１→パターン３の順番を繰り返して出力パターンを発生する。一方、スケール円盤部３２が、図３の矢印Ｂに示す方向に回転する場合、光センサ３３ａは図４（ｃ）に示すように出力し、光センサ３３ｂは図４（ｄ）に示すように出力して、パターン２→パターン４→パターン３→パターン１の順番を繰り返して出力パターンを発生する。制御部１３は、上記の出力パターンの発生順の違いを検出し、回転方向を判断する。
【００２９】
予め定められた速度で回転する操作円盤部２０を停止する場合における、図１に示すＣＤプレーヤの再生動作について説明する。
ＤＪは、予め定められた速度で回転している操作円盤部２０に手を載せ回転速度を徐々に遅くする。このとき、円盤部２４は、操作円盤部２０の回転速度に影響されることなく、予め定められた速度で回転する。操作円盤部２０の回転速度が変化すると、光センサ部３３から一定時間に発生するパルス信号のパルス数は、操作円盤部２０の回転速度に応じて変化する。制御部１３は、光センサ部３３から一定時間に入力されたパルス信号のパルス数から操作円盤部２０の回転速度を判別する。制御部１３は、判別した回転速度に応じて、メモリ制御部８を制御する。メモリ制御部８は、ＲＡＭ９から読み出すデジタルオーディオデータの速度を遅くさせる制御をする。
【００３０】
操作円盤部２０の回転が停止したとき、光センサ部３３は、制御部１３にパルス信号を入力しない。制御部１３は、光センサ部３３からパルス信号の入力がない場合、メモリ制御部８にＲＡＭ９からデジタルオーディオデータの読み出しを停止させる制御をする。
【００３１】
ＤＪが操作円盤部２０から手を離し操作が終了すると、操作円盤部２０は、円盤部２４が予め定められた速度で回転しているので、直ちに、予め定められた速度で回転を再開する。操作円盤部２０が予め定められた速度で回転を再開すると、制御部１３は、メモリ制御部８に通常再生時の読み出し速度でＲＡＭ９からデジタルオーディオデータを読み出させる制御をする。
【００３２】
また、ＤＪが、予め定められた速度で回転している操作円盤部２０を手で予め定められた速度より速く回転させて回転速度を徐々に速くする場合、制御部１３は、光センサ部３３から一定時間に入力されたパルス信号のパルス数に応じて、メモリ制御部８にＲＡＭ９からのデジタルオーディオデータの読み出し速度を速くさせる制御をする。
【００３３】
次に、操作円盤部２０を定められた速度で回転している方向と逆方向に回転させる場合における、図１に示すＣＤプレーヤの再生動作について説明する。
ＤＪは、予め定められた速度で回転している操作円盤部２０を手で逆方向（反時計回り）に回転させる。このとき、円盤部２４は、操作円盤部２０の回転速度及び回転方向に影響されることなく、予め定められた速度で予め定められた方向（時計回り）に回転する。
【００３４】
光センサ部３３は、２個の光センサを備え、操作円盤部２０の回転方向が変化すると、この２個の光センサから発生するパルス信号の出力パターンが変化する。制御部１３は、この２個の光センサから入力されたパルス信号の出力パターンから操作円盤部２０の回転方向を判別する。また、制御部１３は、光センサ部３３から一定時間に入力されたパルス信号のパルス数から操作円盤部２０の回転速度を判別する。制御部１３は、判別した回転速度及び回転方向に応じて、メモリ制御部８を制御する。メモリ制御部８は、ＲＡＭ９からのデジタルオーディオデータの読み出し速度及び読み出し順序を制御する。
【００３５】
ＤＪが操作円盤部２０から手を離し操作が終了すると、操作円盤部２０は、円盤部２４が予め定められた速度で回転しているので、直ちに、予め定められた速度及び回転方向の回転を再開する。操作円盤部２０が予め定められた速度及び回転方向で回転を再開すると、制御部１３は、メモリ制御部８に通常再生時の読み出し速度でＲＡＭ９からデジタルオーディオデータを読み出させる制御をする。
【００３６】
操作円盤部２０を回転操作しているとき、予め定められた速度で回転している円盤部２４の回転速度が変化すると、制御部１３は、光センサ部３５から一定時間に入力されたパルス信号のパルス数に応じて、円盤部２４の回転速度が予め定められた速度を保つようにモータ２２を制御する。
【００３７】
ＤＪは、図１に示すＣＤプレーヤを用いてスクラッチ再生を行う場合、手で操作円盤部２０を素早く正方向又は逆方向に回転させる操作を繰り返す。制御部１３は、光センサ部３３から入力されるパルス信号から操作円盤部２０の回転速度及び回転方向を判別する。制御部１３は、判別した回転速度及び回転方向に応じて、メモリ制御部８を制御する。メモリ制御部８は、ＲＡＭ９に記憶されたデジタルオーディオデータの読み出し速度及び読み出し順序（オーディオデータを昇順アドレスで読み出す又は降順アドレスで読み出す）を制御する。ＲＡＭ９から読み出されたデジタルオーディオデータは、ＤＡＣ１０によりアナログオーディオ信号に変換され、アンプ１１により増幅されて出力端子１２に接続したスピーカから擦れ音のような効果音として出力される。
【００３８】
ＤＪは、操作円盤部２０を円盤部２４の回転方向に対して正逆方向に小刻みに回転させるなどのスクラッチ操作を行う。このとき、シート２８は操作円盤部２０及び導電性シート２７と、導電性シート２７はシート２８及び円盤部２４と、それぞれ擦れ合うことによって静電気が発生し帯電する。シート２８に導電性シート２７が接触して配置されているので、導電性シート２７、シート２８に帯電した静電気は、導電性シート２７からアルミニウム製の円盤部２４を介して空気中に放電され、除電することができる。また、シャフト２９をステンレスなどの導電性を持つ金属製の材料として、導電性シート２７を円盤部２４に載置する場合、導電性シート２７の中心孔がシャフト２９に接触する構成とすることにより、導電性シート２７に帯電した静電気は、シャフト２９を介して放電され、除電することができる。この場合、シャフト２９に接地端子等を接触し放電させる構成として実施しても良い。
【００３９】
円盤部２４の材質がアルミニウムである場合、導電性シート２７の材質をカーボンにすることによって、摩擦を小さくすることができる。このようにすれば、ＤＪがスクラッチ操作等の特殊再生操作を行う場合であっても、静電気の帯電を少なくし、静電気によって発生する吸着力の影響も少なくできるので、摩擦の増加を防止し、ＤＪは、操作円盤部２０を円滑に回転操作することができる。
【００４０】
図１に示すＣＤプレーヤの操作部１５の操作円盤部２０は、円盤部２４とともに予め定められた速度で回転している状態から、操作円盤部２０を回転操作することにより、スクラッチ再生等の特殊再生を行うことができる構造となっている。このため、操作円盤部２０の操作終了後、操作円盤部２０は、直ちに、予め定められた速度及び回転方向で回転を再開することができ、特殊再生から通常再生に瞬時に切り替えることができる。
【００４１】
本実施例のスケール円盤部３２、３４は開口部を設ける構成としたが、スケール円盤部３２、３４の材質を透明又は半透明のプラスチックとして、長方形の開口部の代わりにカーボンを含む印刷塗料で長方形を印刷し、光センサ部３３、３５で検出する構成として実施することもできる。
【００４２】
本実施例のＣＤプレーヤは、モータ２２の回転軸に固定したプーリ２３からベルト２６を介して円盤部２４を回転させる構成としたが、モータ２２の回転軸をシャフト２９に直結し、モータ２２が円盤部２４を直接回転させる構成として実施することもできる。
【００４３】
本実施例のＣＤプレーヤは、ＤＪが意図したタイミングで通常再生に戻る制御を行うとともに、操作円盤部２０により、アナログレコードプレーヤを用いて特殊再生を行う場合と同様の操作性を備える。
なお、本実施例はＣＤプレーヤを例にあげて説明したが、本発明は、ＣＤ以外のディスクを再生するディスク再生装置に適用して実施することができる。
【００４４】
【発明の効果】
本発明のディスク再生装置によれば、操作円盤部と円盤部との間の静電気の発生による帯電量の増加に伴う吸着力の増加を防止し、操作性を良くすることができる。
【図面の簡単な説明】
【図１】本発明のディスク再生装置の一実施例であるＣＤプレーヤの構成を示すブロック図。
【図２】本発明の一実施例のＣＤプレーヤの操作円盤部を含む機構全体を側面から見た断面の構成を示す図。
【図３】本実施例のＣＤプレーヤのスケール円盤部の開口部と光センサ部の配置を示す図。
【図４】本実施例のＣＤプレーヤの操作円盤部の開口部による光センサ部の出力パルス信号を示す図。
【符号の説明】
１  ターンテーブル
２  スピンドルモータ
３  ＣＤ
４  サーボ制御部
５  光ピックアップ
６  再生アンプ
７  信号処理部
８  メモリ制御部
９  ＲＡＭ
１０  ＤＡＣ
１１  アンプ
１２  出力端子
１３  制御部
１４  表示部
１５  操作部
２０  操作円盤部
２１  パネル
２２  モータ
２３  プーリ
２４  円盤部
２４ａ  プーリ部
２４ｂ  スケール保持部
２５  保持部
２６  ベルト
２７  導電性シート
２８  シート
２９  シャフト
３０  固定保持部
３１  スケール保持部
３２、３４  スケール円盤部
３３、３５  光センサ部
【図１】
2004281003.tif 000003
【図２】
2004281003.tif 000004
【図３】
2004281003.tif 000005
【図４】
2004281003.tif 000006